(57)【要約】  通気ソールを開示する。この通気ソールは、アウトソール（１００）、ミッドソール（２００）、ポンプ部（３００）、空気流入部（４００）、空気移動路（５００）、および空気流出部（６００）を含んでなる。すなわち、前記通気ソールは、前記アウトソール、前記アウトソールに結合するミッドソール、並びに前記アウトソールと前記ミッドソールとの結合によって設けられる前記ポンプ部、前記空気流入部、前記空気移動路、および前記空気流出路を含んでなる。空気が前記ポンプ部のポンプ作用によって前記空気流入部に流入したとき、前記空気はポンプ作用によって前記空気移動路を介して流動して前記空気流出部に到達する。前記空気が履物の内部および外部に排出されながら、新鮮な空気が履物の内部に供給される。【選択図】図４
2009502228.tif 000002
【特許請求の範囲】
【請求項１】
底面に滑り止め凸凹（１１０）が設けられたアウトソール（１００）と、
前記アウトソール（１００）の上部に結合し、上部は足が収容されるように凹設されたミッドソール（２００）と、
前記ミッドソール（２００）のかかと部に上方に凹むように半球状に設けられたポンプ部（３００）と、
履物の外部から流入した空気が前記ポンプ部（３００）に到達するように、前記ポンプ部（３００）の両側に横方向に設けられた空気流入部（４００）と、
前記ポンプ部（３００）のポンプ作用によって流入した空気が移動するように、前記ポンプ部（３００）の正面側に縦方向に設けられた空気移動路（５００）と、      前記空気移動路（５００）に連通し、前記ミッドソール（２００）のつま先部に上方に凹むように横方向に設けられ、両端部が履物の外部にオープンされており、前記ミッドソール（２００）を上下に貫通する通孔（６１０）を有し、前記空気移動路（５００）から移動してきた空気を履物の外部および前記通孔（６１０）に流出させるための空気流出部（６００）とを含んでなることを特徴とする、通気ソール。
【請求項２】
前記空気流入部（４００）は、前記空気移動路（５００）より相対的に幅が狭いことを特徴とする、請求項１に記載の通気ソール。
【請求項３】
前記空気流出部（６００）は、互いに離隔して多数横方向に設けられ、それぞれが前記空気移動路（５００）を介して連結されて互いに連通することを特徴とする、請求項１に記載の通気ソール。
【請求項４】
底面に滑り止め凸凹（１１０）が設けられたアウトソール（１００）と、
前記アウトソール（１００）の上部に結合するミッドソール（２００）と、
前記ミッドソール（２００）のかかと部に上方に凹むように半球状に設けられたポンプ部（３００）と、
履物の外部から流入した空気が前記ポンプ部（３００）に到達するように、前記ポンプ部（３００）の両側に横方向に設けられた空気流入部（４００）と、
前記ポンプ部（３００）のポンプ作用によって流入した空気が移動するように、前記ポンプ部（３００）の正面側に縦方向に設けられた空気移動路（５００）と、
前記空気移動路（５００）に連通し、前記ミッドソール（２００）のつま先部に上下に貫通して横方向に設けられた強制通気口（６２０）、前記強制通気口（６２０）の前側に前記ミッドソール（２００）を上下に貫通して横方向に設けられた自然通気口（６３０）、および前記自然通気口（６３０）と履物の外部に連通し、前記ミッドソール（２００）のつま先部の両側端部に沿って上方に凹むように縦方向に設けられた収容溝（６４０）からなる空気流出部（６００）とを含んでなることを特徴とする、通気ソール。
【請求項５】
前記アウトソール（１００）の足指部の端部に沿って上方に突出するように設けられる結合段（１２０）と、
前記結合段（１２０）に対応するように前記ミッドソール（２００）に設けられ、前記ミッドソール（２００）の上面と面一になるように前記結合段（１２０）に結合する切断部（２１０）とをさらに含んでなることを特徴とする、請求項４に記載の通気ソール。
【請求項６】
前記空気流入部（４００）は、
前記ポンプ部（３００）側に隣接して設けられた内側空気流入口（４１０）と、
前記内側空気流入口（４１０）に連通するように連続して設けられ、前記内側空気流入口（４１０）より相対的に広い幅を持つ結合収容溝（４２０）と、
前記アウトソール（１００）の上面に前記外側空気流入口に対応するように突設され、前記外側空気流入口に結合し、前記内側空気流入口（４１０）に対応する位置に空気流入孔（４３１）を有する空気流入結合突部（４３０）とから構成されることを特徴とする、請求項４に記載の通気ソール。
【請求項７】
前記内側空気流入口（４１０）は、前記空気移動路（５００）より相対的に幅が狭いことを特徴とする、請求項６に記載の通気ソール。
【請求項８】
前記自然通気口（６３０）は、
互いに離隔して縦方向に多数配列されたものが１組を成し、２組が対向するように設けられることを特徴とする、請求項４に記載の通気ソール。
【請求項９】
前記空気移動路（５００）は、
前記自然通気口（６３０）まで延長されるように設けられ、前記自然通気口（６３０）に連通することを特徴とする、請求項４または８に記載の通気ソール。
【請求項１０】
前記空気流出部（６００）の収容溝（６４０）に対応して結合し、前記アウトソール（１００）の結合段に連続して上方に突出するように設けられた自然流入突部（１３０）と、
前記自然流入突部（１３０）によって定義され、前記自然通気口（６３０）と履物の外部に連通するように前記自然通気口（６３０）の位置に対応して設けられる自然流入口（２２０）とをさらに含んでなることを特徴とする、請求項４に記載の通気ソール。
【発明の詳細な説明】
【技術分野】
【０００１】
本発明は、履物のソールに関し、履物のソール内に空気の流出入作用とポンプ作用が可能な構造を形成させ、歩く動作によって自然に履物内外空気のポンプ作用が起こるようにした通気ソールに関する。
【背景技術】
【０００２】
一般に、履物は、通気性のよくない皮革または合成樹脂などを用いて製作されるため、長時間着用すると、外部との通気が確保されなくて履物の内部が暑くなる。よって、汗によって湿気が発生すると同時に、カビなどが生息して足の臭いまたは水虫などが発生する。
【０００３】
上述した問題点を解決するために、従来では、様々な形の通気が可能な履物が紹介されている。
【０００４】
それらの中でも、代表的な幾つかを以下に簡略に紹介する。
【０００５】
韓国登録実用新案公報第２０−１４４１３３号には、アウトソールの空気循環構造が開示されている。この引用文献によれば、ポンプ部材を別途に設置して外気をアウトソール側に循環させる構造であるが、これは構造が複雑であり、自然な空気循環が不可能であるうえ、外部の異物が無断流入するという欠点がある。
【０００６】
また、韓国登録実用新案公報第２０−２１８２２７号には、複数の通気口を有するシュークッションが開示されている。これは空気チューブを用いてアウトソールの下部に空気を循環させる構造であるが、これも構造が複雑であり、自然な空気循環が不可能であるうえ、外部の異物が無断流入するという欠点がある。
【０００７】
韓国登録実用新案公報第２０−２２９７３８号には、通気装置を備えた履物が開示されている。この引用文献によれば、ポンプ機能を行うクッション層および逆止め弁手段が設けられ、空気をアウトソールの下部に循環させるが、これも構造が複雑であり、自然な空気流動が不可能であるうえ、外部の異物が無断流入するという欠点がある。
【発明の開示】
【発明が解決しようとする課題】
【０００８】
そこで、本発明は、前述した従来の技術の問題点を解決するためのもので、その目的は、履物のソール内に空気の流出入作用およびポンプ作用が可能な構造を形成させ、歩く動作によって自然に履物内外空気のポンプ作用が起こるようにした通気ソールを提供することにある。
【課題を解決するための手段】
【０００９】
上記目的を達成するために、本発明は、底面に滑り止め凸凹が設けられたアウトソールと、前記アウトソールの上部に結合し、上部は足が収容されるように凹設されたミッドソールと、前記ミッドソールのかかと部に上方に凹むように半球状に設けられたポンプ部と、履物の外部から流入した空気が前記ポンプ部に到達するように、前記ポンプ部の両側に横方向に設けられた空気流入部と、前記ポンプ部のポンプ作用によって流入した空気が移動するように、前記ポンプ部の正面側に縦方向に設けられた空気移動路と、前記空気移動路に連通し、前記ミッドソールのつま先部に上方に凹むように横方向に設けられ、両端部が履物の外部にオープンされており、前記ミッドソールを上下に貫通する通孔を有し、前記空気移動路から移動してきた空気を履物の外部および前記通孔に流出させるための空気流出部とを含んでいることを特徴とする、通気ソールを提供する。
【００１０】
また、前記空気流入部は、前記空気移動路より相対的に幅が狭いことが好ましい。
【００１１】
また、前記空気流出部は、互いに離隔して多数横方向に設けられ、それぞれが前記空気移動路を介して連結されて互いに連通することが好ましい。
【００１２】
また、上記目的を達成するために、本発明は、底面に滑り止め凸凹が設けられたアウトソールと、前記アウトソールの上部に結合するミッドソールと、前記ミッドソールのかかと部に上方に凹むように半球状に設けられたポンプ部と、履物の外部から流入した空気が前記ポンプ部に到達するように、前記ポンプ部の両側に横方向に設けられた空気流入部と、前記ポンプ部のポンプ作用によって流入した空気が移動するように、前記ポンプ部の正面側に縦方向に設けられた空気移動路と、前記空気移動路に連通し、前記ミッドソールのつま先部に上下に貫通して横方向に設けられた強制通気口、前記強制通気口の前側に前記ミッドソールを上下に貫通して横方向に設けられた自然通気口、および前記自然通気口と履物の外部に連通し、前記ミッドソールのつま先部の両側端部に沿って上方に凹むように縦方向に設けられた収容溝からなる空気流出部とを含んでなることを特徴とする、通気ソールを提供する。
【００１３】
ここで、前記通気ソールは、前記アウトソールの足指部の端部に沿って上方に突出するように設けられる結合段と、前記結合段に対応するように前記ミッドソールに設けられ、前記ミッドソールの上面と面一になるように前記結合段に結合する切断部とをさらに含んでなることが好ましい。
【００１４】
また、前記空気流入部は、前記ポンプ部側に隣接して設けられた内側空気流入口と、前記内側空気流入口に連通するように連続して設けられ、前記内側空気流入口より相対的に広い幅を持つ結合収容溝と、前記アウトソールの上面に前記外側空気流入口に対応するように突設され、前記外側空気流入口に結合し、前記内側空気流入口に対応する位置に空気流入孔を有する空気流入結合突部とから構成されることが好ましい。
【００１５】
また、前記内側空気流入口は、前記空気移動路より相対的に幅が狭いことが好ましい。
【００１６】
また、前記自然通気口は、互いに離隔して縦方向に多数配列されたものが１組になって、２組が対向するように設けられることが好ましい。
【００１７】
また、前記空気移動路は、前記自然通気口まで延設され、前記自然通気口に連通することが好ましい。
【００１８】
また、前記通気ソールは、前記空気流出部の収容溝に対応して結合し、前記アウトソールの結合段に連続して上方に突出するように設けられた自然流入突部と、前記自然流入突部によって定義され、前記自然通気口と履物の外部に連通するように前記自然通気口の位置に対応して設けられる自然流入口とをさらに含んでなることが好ましい。
【発明の効果】
【００１９】
本発明によれば、履物のソール内に空気の流出入作用およびポンプ作用が可能な構造を形成させ、歩く動作によって自然に履物内外空気の通気がなされるようにして、履物の内部環境が常に衛生的で快適であるという効果がある。
【００２０】
また、本発明は、ソール自体の構造のみで通気を可能にすることにより、構成が簡単でコストが低いという効果がある。
【００２１】
また、このようなソールの構造によって、地面との接地の際に衝撃を吸収して足を保護することができるという効果がある。
【発明を実施するための最良の形態】
【００２２】
図示の如く、本発明に係る通気ソールは、アウトソール１００、ミッドソール２００、ポンプ部３００、空気流入部４００、空気移動路５００、および空気流出部６００を含んでなる。すなわち、本発明の通気ソールは、アウトソール１００、アウトソール１００の下部に結合したミッドソール２００、並びに前記アウトソール１００と前記ミッドソール２００との結合によって設けられるポンプ部３００、空気流入部４００、空気移動路５００および空気流出部６００を含んでなる。
【００２３】
これにより、前記ポンプ部３００のポンプ作用によって前記空気流入部４００に流入した空気は、ポンプ部３００のポンプ作用によって空気移動路５００を通じて移動して空気流出部６００に到達し、履物の内部および外部に排出される。このような方法で、新鮮な空気が履物の内部に供給される。
【００２４】
以下、本発明の好適な実施例を添付図面を参照して詳細に説明する。
【実施例１】
【００２５】
図１は本発明の第１実施例に係る通気ソールを示す斜視図、図２は本発明の第1実施例に係る通気ソールのミッドソールを示す底面図、図３は本発明の第１実施例に係る通気ソールの作動を示す例示図である。
【００２６】
図示の如く、本発明の第１実施例に係る通気ソールは、アウトソール１００、ミッドソール２００、ポンプ部３００、空気流入部４００、空気移動路５００、および空気流出部６００を含んでなる。すなわち、この通気ソールは、アウトソール１００、アウトソール１００に結合したミッドソール２００、並びに前記アウトソール１００とミッドソール２００によって設けられるポンプ部３００、空気流入部４００、空気移動路５００および空気流出部６００を含んでなる。
【００２７】
前記アウトソール１００は、一般にゴムで出来ており、底面には滑らないように凸凹１１０が設けられる。前記アウトソール１００は、前記凸凹１１０が反対に設けられた金型内にゴム生地を投入した後、加熱加圧して形成する。
【００２８】
前記ミッドソール２００は、アウトソール１００の上部に設けられるもので、一般にポリウレタン（ＰＵ）、パイロンなどを金型内に投入した後、発泡成形して形成する。前記ミッドソール２００の上部は足が収容されるように凹設される。
【００２９】
前記ミッドソール２００のかかと部には前記ポンプ部３００が設けられる。前記ポンプ部３００は、前記ミッドソール２００の上側に凹設された半球状をしている。前記ポンプ部３００は、前記アウトソール１００の上面に結合し、自然に上下の密閉した空間部を形成する。これにより、ポンプ作用が前記空間部で行われる。
【００３０】
前記空間部は、後述の空気流入部４００によって流入した空気が集まるところである。ポンプ部３００が加圧されると、前記ポンプ部３００の中心部が上下に動くことにより、ポンプ作用を行う。
【００３１】
前記空気流入部４００は、前記ポンプ３００の両側に横方向に設けられる。これにより、履物の一側が前記ポンプ部３００を介して他側に連通する。前記空気流入部４００は、前記アウトソール１００の上面に結合し、自然に上下の密閉した空間部を形成する。前記空気流入部４００は、前記ポンプ部３００より低く設けられ、前記ポンプ部３００のポンプ作用を円滑にする。
【００３２】
前記ポンプ部３００を加圧すると、前記空気流入部４００の空気が後述の空気移動路５００に抜け出し、前記ポンプ部３００の加圧を解除すると、ポンプ部３００内の圧力が前記空気流入部４００側より低くなって自然にポンプ部３００内に履物外部の空気が再び流入する。
【００３３】
前記空気移動路５００は、前記ポンプ部３００の正面側に縦方向に履物のかかと部側からつま先部側まで設けられ、前記アウトソール１００の上面に結合して自然に上下の密閉した空間部を形成する。前記空気移動路５００は、前記ポンプ部３００より低く設けられ、前記ポンプ部３００のポンプ作用を円滑にする。
【００３４】
前記空気移動路５００は、前記空気流入部４００より相対的に幅広く設けられ、前記ポンプ部３００のポンプ作用によって移動する空気が前記空気移動路５００側に移動するようにし、前記空気流入部４００を介して抜け出すことを最小化する。
【００３５】
前記空気流出部６００は、前記空気移動路５００に連通するように設けられる。前記空気流出部６００は、前記ミッドソール２００のつま先部に上側に凹設されるように横方向に設けられ、両端部が履物の外部にオープンされている。すなわち、履物の一側が前記空気流出部６００を介して他側に連通する。前記空気流出部６００は、前記アウトソール１００の上面に結合し、これにより自然に上下の密閉した空間部を形成する。
【００３６】
前記空気流出部６００には、ミッドソール２００を上下に貫通するように多数の通孔６１０が設けられる。
【００３７】
したがって、前記空気移動路５００を介して移動した空気が前記空気流出部６００に到達し、履物の外部および前記通孔６１０に空気が流出する。
【００３８】
また、前記空気流出部６００は、互いに離隔して多数横方向に設けられ、それぞれが前記空気移動路５００を介して連結されて互いに連通する。これにより、足のつま先部および前部全体に外部の新鮮な空気を供給することができる。
【００３９】
上述したように構成された通気ソールは、前記ポンプ部３００のポンプ作用、すなわち歩く動作によって前記空気流入部４００に外部の空気が流入し、前記空気移動路５００に流入した空気が前記空気流出部６００へ移動して、前記通孔６１０を介して履物の内部に流出しまたは前記空気流出部６００の側面を介して履物の外部に流出する。これにより、新鮮な空気を履物の内部に供給することができる。
【実施例２】
【００４０】
図４は本発明の第２実施例に係る通気ソールを示す斜視図、図５は本発明の第２実施例に係る通気ソールのミッドソールを示す底面斜視図、図６は本発明の第２実施例に係る通気ソールのミッドソールを示す上面斜視図、図７は本発明の第２実施例に係る通気ソールのアウトソールを示す上面斜視図、図８は本発明の第２実施例に係る通気ソールの作動を示す例示図である。
【００４１】
図示の如く、本発明の第２実施例に係る通気ソールは、アウトソール１００、ミッドソール２００、ポンプ部３００、空気流入部４００、空気移動路５００、および空気流出部６００を含んでなる。すなわち、この通気ソールは、アウトソール１００、アウトソール１００に結合したミッドソール２００、並びにアウトソール１００とミッドソール２００によって設けられるポンプ３００、空気流入部４００、空気移動路５００および空気流出部６００を含んでなる。
【００４２】
前記アウトソール１００は、一般にゴムで出来ており、底面には滑らないように凸凹１１０が設けられる。前記アウトソール１００は、前記凸凹１１０が反対に設けられた金型内にゴム生地を投入し、加熱加圧して形成させる。前記ミッドソール２００は、前記アウトソール１００の上部に結合するもので、一般にポリウレタン（ＰＵ）、パイロンなどを金型内に投入して発泡成形して形成する。
【００４３】
前記アウトソール１００の足指先の端部に沿って上方に一体に突出するように結合段１２０が設けられる。また、前記ミッドソール２００には、前記結合段１２０に対応して、前記ミッドソール２００の足指先の端部に沿って切断されるように切断部２１０が設けられる。これにより、上方に突出した結合段１２０が前記ミッドソール２００の切断部２１０に対応して結合し、前記ミッドソール２００の上面と面一になるように設けられる。これはアウトソール１００とミッドソール２００とを組み立てるときに優れた結合力を提供するためである。
【００４４】
前記ミッドソール２００のかかと部には前記ポンプ部３００が設けられる。前記ポンプ部３００は、前記ミッドソール２００の上側に凹設された半球状をしており、前記アウトソール１００の上面に結合して自然に上下の密閉した空間部を形成することにより、ポンプ作用が可能になる。
【００４５】
前記空間部は、後述の空気流入部４００によって流入した空気が集まるところである。前記空間部が上方から加圧されると、前記ポンプ部３００の中心部が上下に動くことにより、ポンプ作用を行う。
【００４６】
空気流入部４００は、前記ポンプ部３００の両側に横方向に設けられ、前記ミッドソール２００の上側に凹んでいる。これにより、履物の一側が前記ポンプ部３００を介して他側に連通する。前記空気流入部４００は、前記アウトソール１００の上面に結合し、これにより自然に上下の密閉した空間部を形成する。前記空気流入部４００は、前記ポンプ部３００より低く設けられ、前記ポンプ部３００のポンプ作用を円滑にする。
【００４７】
前記空気流入部４００は、前記ポンプ３００側に隣接して設けられた内側空気流入口４１０と、前記内側空気流入口４１０の幅より相対的に広く、前記内側空気流入口４１０に連通するように連続して設けられた結合収容溝４２０と、前記結合収容溝４２０に対応するように前記アウトソール１００の上面に突設され、前記結合収容溝４２０に結合し、前記内側空気流入口４１０に対応する位置に空気流入孔４３１を有する空気流入結合突部４３０とから構成される。
【００４８】
前記内側空気流入口４１０は、前記ポンプ部３００の側面に前記ポンプ部３００に連通するように設けられ、前記ポンプ部３００より高さが低く、且つ後述の空気移動路５００の幅より相対的に狭い。
【００４９】
前記結合収容溝４２０は、ミッドソール２００の両端部側でオープンされており、両側面は前記ミッドソール２００の上方から下方に行くほど広くなる階段式で切断されて設けられる。前記アウトソール１００に設けられた空気流入結合段４３０は、前記結合収容溝４２０の両側面の形状に対応するように、すなわち前記アウトソール１００の上方から下方に行くほど狭くなる階段式で切断されて設けられる。
【００５０】
これにより、前記アウトソール１００と前記ミッドソール２００とが結合するとき、前記ミッドソール２００の結合収容溝４２０に前記アウトソール１００の空気流入結合突部４３０が結合し、前記内側空気流入口４１０と前記空気流入孔４３１とが連通することにより、外部の空気が前記ポンプ部３００に流入する。
【００５１】
また、前記空気流入部４００は、前記ポンプ部３００の加圧によって後述の空気移動路５００に空気が抜け出し、加圧を解除すると、ポンプ部３００の内圧が前記空気流入部４００側より低くなって自然にポンプ部３００内に履物外部の空気が再び流入する。
【００５２】
次に、前記空気移動路５００について説明する。
【００５３】
前記空気移動路５００は、前記ポンプ部３００の正面側に履物のかかと部側からつま先部側まで縦方向に設けられる。前記空気移動路は、前記アウトソール１００の上面に結合し、自然に上下の密閉した空間部を形成する。前記空気移動路５００は、前記ポンプ部３００より低く設けられ、前記ポンプ部３００のポンプ作用を円滑にする。
【００５４】
前記空気移動路５００は、前記空気流入部４００の内側空気流入口４１０より相対的に幅広く設けられ、前記ポンプ部３００のポンプ作用によって移動する空気が前記空気移動路５００側に移動するようにし、前記空気流入部４００に抜け出すことを最小化する。
【００５５】
次いで、前記空気流出部６００について説明する。
【００５６】
前記空気流出部６００は、前記空気移動路５００に連通し、前記ミッドソール２００のつま先部に上下に貫通して横方向に設けられた強制通気口６２０と、前記強制通気口６２０の前側に前記ミッドソール２００を上下に貫通して横方向に設けられた自然通気口６３０と、前記自然通気口６３０および履物の外部に連通し、前記ミッドソール２００のつま先部の両側端部に沿って上方に凹むように縦方向に設けられた収容溝６４０とから構成される。
【００５７】
前記強制通気口６２０は、前記空気移動路５００の端部に設けられて前記空気移動路５００に連通し、横方向に長い四角形状を有する。前記強制通気口６２０は、かかと部側で前記空気流入部４００に流入した空気が前記ポンプ部３００のポンプ作用によって前記空気移動路５００を通じて移動して前記強制通気口６２０まで到達すると、ミッドソール２００の上部に排出される。
【００５８】
前記自然通気口６３０は、前記強制通気口６２０の前側に設けられ、前記ミッドソール２００を上下に貫通して横方向に長い四角形状を有する。前記自然通気口６３０は、互いに離隔して履物の前側に縦方向に多数配列されたものが１組を成し、２組が対向して両側に設けられる。
【００５９】
また、前記空気移動路５００は、前記自然通気口６３０まで延長されるように設けられ、前記自然通気口６３０に連通する。すなわち、前記ポンプ部３００のポンプ作用によって流入した空気が前記強制通気口６２０だけでなく、前記自然通気口６３０にも流入して履物の内外部に空気が排出される。
【００６０】
前記収容溝６４０は、前記自然通気口６３０および履物の外部に連通し、前記ミッドソール２００のかかと部の両側端部に沿って上方に凹むように縦方向に設けられる。前記収容溝６４０は履物の外部から自然に流入する空気が集まる部分であり、自然的に流入した空気は前記自然通気口６３０に排出される。
【００６１】
前記通気ソールは、前記空気流出部６００の収容溝６４０に対応して結合し、前記アウトソール１００の係止段に連続して上方に突出するように設けられた自然流入突部１３０と、前記自然流入突部１３０によって定義され、前記自然通気口６３０の位置に対応して前記自然通気口６３０および履物の外部に連通するように設けられた自然流入口２２０を有する。
【００６２】
前記自然流入突部１３０は、前記アウトソール１００の上方に突出して前記ミッドソール２００の下面の収容溝６４０に結合し、前記自然流入口２２０に空気が自然に流入すると、前記自然通気口６３０を介して履物の内部に空気が排出される。
【００６３】
これにより、外部の新鮮な空気を足のつま先部および前部全体に供給することができる。
【００６４】
上述したように構成された通気ソールは、前記ポンプ部３００のポンプ作用、すなわち歩く動作によって前記空気流入部４００に外部の空気が流入し、前記空気移動路５００に流入した空気が前記空気流出部６００の強制通気口６２０に移動して履物の内部に外部の新鮮な空気が供給され、前記自然流入口２２０に空気の流れまたは歩く動作によって自然に空気が流入すると、前記自然通気口６３０を介して履物の内部に空気が供給される。
【産業上の利用可能性】
【００６５】
上述したように、本発明に係る通気ソールは、運動靴などの各種履物類に適用され、より優れた機能を持つ履物の提供を可能にする産業上利用可能性を持つ。
【００６６】
また、本発明は、より大きい付加価値を創出することができるため、履物産業の活性化をもたらすことのできる優れた技術である。
【図面の簡単な説明】
【００６７】
【図１】図１は、本発明の第１実施例に係る通気ソールを示す斜視図である。
【図２】図２は、本発明の第１実施例に係る通気ソールのミッドソールを示す底面図である。
【図３】図３は、本発明の第１実施例に係る通気ソールの作動を示す例示図である。
【図４】図４は、本発明の第２実施例に係る通気ソールを示す斜視図である。
【図５】図５は、本発明の第２実施例に係る通気ソールのミッドソールを示す底面斜視図である。
【図６】図６は、本発明の第２実施例に係る通気ソールのミッドソールを示す上面斜視図である。
【図７】図７は、本発明の第２実施例に係る通気ソールのアウトソールを示す上面斜視図である。
【図８】図８は、本発明の第２実施例に係る通気ソールの作動例示図である。
【符号の説明】
【００６８】
１００：アウトソール    １１０：凸凹
１２０：結合段            １３０：自然流入突部
２００：ミッドソール    ２１０：切断部
２２０：自然流入口        ３００：ポンプ部
４００：空気流入部        ４１０：内側空気流入口
４２０：結合収容溝        ４３０：空気流入結合突部
４３１：空気流入孔        ５００：空気移動路
６００：空気流出部        ６１０：通孔
６２０：強制通気口        ６３０：自然通気口
６４０：収容溝
【図１】
2009502228.tif 000003
【図２】
2009502228.tif 000004
【図３】
2009502228.tif 000005
【図４】
2009502228.tif 000006
【図５】
2009502228.tif 000007
【図６】
2009502228.tif 000008
【図７】
2009502228.tif 000009
【図８】
2009502228.tif 000010
【国際調査報告】
2009502228.tif 000011
2009502228.tif 000012